(57)【要約】【課題】端末の受信成功率を高めることができるようにする。【解決手段】キャリアセンス処理部は、送信周波数チャネルと受信周波数チャネルのキャリアセンスを行う。周波数チャネル選択部は、送信周波数チャネルのキャリアセンスの結果と、送信周波数チャネルに紐付けられ、受信周波数チャネルのキャリアセンスの結果に基づいて、送信周波数チャネルと受信周波数チャネルの組み合わせを選択する。本開示は、例えば、通信システムに適用することができる。【選択図】図２
2019087905.tif 000002
【特許請求の範囲】
【請求項１】
送信周波数チャネルと前記送信周波数チャネルに紐付けられた受信周波数チャネルのキャリアセンスを行うキャリアセンス処理部と、
前記送信周波数チャネルのキャリアセンスの結果と前記受信周波数チャネルのキャリアセンスの結果に基づいて、前記送信周波数チャネルと前記受信周波数チャネルの組み合わせを選択する周波数チャネル選択部と
を備える通信装置。
【請求項２】
前記周波数チャネル選択部は、前記送信周波数チャネルが送信に使用できる周波数チャネルであって、前記受信周波数チャネルの受信電力量が最小となる、前記送信周波数チャネルと前記受信周波数チャネルの組み合わせを選択する
請求項１に記載の通信装置。
【請求項３】
前記周波数チャネル選択部は、前記送信周波数チャネルが送信に使用できる周波数チャネルであって、前記送信周波数チャネルと前記受信周波数チャネルとの平均受信電力量が最小となる、前記送信周波数チャネルと前記受信周波数チャネルの組み合わせを選択する
請求項１に記載の通信装置。
【請求項４】
前記周波数チャネル選択部により選択された前記受信周波数チャネルの干渉量に基づいて、相手側からの送信に用いられる通信方式を選択する通信方式選択部を
さらに備える請求項１に記載の通信装置。
【請求項５】
前記通信方式選択部は、誤り訂正の符号化率を選択する
請求項４に記載の通信装置。
【請求項６】
前記通信方式選択部は、変調方式を選択する
請求項４に記載の通信装置。
【請求項７】
前記通信方式選択部は、Preamble長を選択する
請求項４に記載の通信装置。
【請求項８】
前記通信装置は、携帯可能な通信端末である
請求項１に記載の通信装置。
【請求項９】
情報を検出するセンサと、
前記センサにより検出された情報を、前記周波数チャネル選択部により選択された前記送信周波数チャネルで送信する送信部と
をさらに備える請求項８に記載の通信装置。
【請求項１０】
前記通信装置は、基地局である
請求項１に記載の通信装置。
【請求項１１】
通信装置が、
送信周波数チャネルと前記送信周波数チャネルに紐付けられた受信周波数チャネルのキャリアセンスを行い、
前記送信周波数チャネルのキャリアセンスの結果と前記受信周波数チャネルのキャリアセンスの結果に基づいて、前記送信周波数チャネルと前記受信周波数チャネルの組み合わせを選択する
通信方法。
【請求項１２】
送信周波数チャネルと前記送信周波数チャネルに紐付けられた受信周波数チャネルのキャリアセンスを行うキャリアセンス処理部と、
前記送信周波数チャネルのキャリアセンスの結果と、前記受信周波数チャネルのキャリアセンスの結果に基づいて、前記送信周波数チャネルと前記受信周波数チャネルの組み合わせを選択する周波数チャネル選択部と
として、コンピュータを機能させるプログラム。
【請求項１３】
基地局と、通信端末とからなる通信システムであって、
前記通信端末は、送信周波数チャネルと前記送信周波数チャネルに紐付けられた受信周波数チャネルのキャリアセンスを行うキャリアセンス処理部と、
前記送信周波数チャネルのキャリアセンス結果と前記受信周波数チャネルのキャリアセンス結果に基づいて、前記送信周波数チャネルと前記受信周波数チャネルの組み合わせを選択する周波数チャネル選択部と
を含む通信システム。
【発明の詳細な説明】
【技術分野】
【０００１】
本技術は、通信装置および方法、プログラム、並びに通信システムに関し、特に、通信における受信成功率を高めることができる通信装置および方法、プログラム、並びに通信システムに関する。
【背景技術】
【０００２】
あらゆるものから情報を収集し解析することで新たな価値を提供するIoT(Internet of Things)分野に注目が集まっている。なかでも、遠隔地から配線なしで情報を収集する技術として無線技術に対する期待がある。これらは特にLPWA(Low Power Wide Area)技術と呼ばれ、長距離伝送かつ低消費電力駆動が特徴である。
【０００３】
LPWA技術では、低消費電力駆動を実現するため、従来の携帯電話機や無線LANと比較して、通信手順を簡略化している場合が多い。端末がデータ送信を行うまでの従来の通信手順を以下に示す。
【０００４】
(1)基地局あるいはAP(Access Point)は、基準信号を送信する。
基準信号には基地局のタイミングやパラメタ情報が記載されていることもある。
(2)端末は、基準信号から得られた情報をもとに、接続要求を送信する。
(3)基地局は、接続要求に対する可否を判断し、端末に対して返信を行う。
(4)端末は、接続要求に対する返信を受信する。
(5)端末は、指示されたパラメタに応じて、データ送信を行う。
【０００５】
従来の通信手順の場合、端末はデータ送信までに、「基準信号の受信」「接続要求の送信」「接続要求に対する返信の受信」が必要であり、データ送信までの部分で電力を消費してしまう。特にLPWA技術で対象とするデータはセンサ情報であり数十byteと少量である。このため、通信手順による電力消費量は相対的に大きくなり、低消費電力化を実現することが難しくなる。
【０００６】
そこで、いくつかの通信方式では通信手順が簡略化されている。具体的には、(1)乃至(4)を省略し、データ送信のみを行う方法が採用されている。この場合、従来、接続要求の返信から得ていたパラメタの代わりに、予め決められたパラメタ（送信する周波数チャネルなど）が選択され送信が行われる。これにより通信手順に伴う電力処理を軽減することができ、低消費電力化を実現することが可能となる。
【０００７】
基地局-端末間の通信は、端末から開始されるため、基地局から端末に対してデータを送信したい場合は、端末がデータ送信を行った後に、予め決められた時間経過後に基地局がデータ送信を行う方式が採用される。
【０００８】
この場合、基地局が送信する場合に使用する周波数チャネルを端末が受信前に知ることができれば低消費電力化に寄与する。周波数チャネルを予め知っていることで、端末の受信処理を簡略化することが可能となり、低消費電力化を実現できる。基地局が送信に使用する周波数チャネルを事前に決定しておく方法として、端末が送信に使用した周波数チャネルと予め関連付けられた周波数チャネルを使用する方法が考えられる。
【０００９】
また、免許不要帯の周波数チャネルを使用する場合、他システムとの共存のため、基地局または端末が通信を開始する前に、使用する周波数チャネルの他システムによる使用状況を確認する処理が必要とされる。これはキャリアセンスと呼ばれる処理である。端末はデータ送信を行う場合に、キャリアセンスを実行し、使用可能な周波数チャネルを決定し、データ送信を行う。
【００１０】
特許文献１には、接続要求を受領した基地局がキャリアセンスを実行し、端末が送信に使用する周波数チャネルを割り当てる方法が記されている。この方法によれば、端末が行うキャリアセンスを基地局が肩代わりすることで端末の処理を軽減することができる。
【先行技術文献】
【特許文献】
【００１１】
【特許文献１】特開平１１−２２５３７３号公報
【発明の概要】
【発明が解決しようとする課題】
【００１２】
しかしながら、上述したように低消費電力化の実現のため、端末が受信する周波数チャネルは、送信する周波数チャネルに予め関連付けられたものが用いられる。その際、送信する周波数チャネルは、キャリアセンスにより他システムの使用状況がわかっているが、受信する周波数チャネルは、他システムの使用状況が不明である。したがって、端末が基地局からデータを受信する場合に他システムの信号と干渉が発生し、通信に失敗する恐れがある。
【００１３】
本技術は、このような状況に鑑みてなされたものであり、通信における受信成功率を高めることができるものである。
【課題を解決するための手段】
【００１４】
本技術の一側面の通信装置は、送信周波数チャネルと前記送信周波数チャネルに紐付けられた受信周波数チャネルのキャリアセンスを行うキャリアセンス処理部と、前記送信周波数チャネルのキャリアセンスの結果と前記受信周波数チャネルのキャリアセンスの結果に基づいて、前記送信周波数チャネルと前記受信周波数チャネルの組み合わせを選択する周波数チャネル選択部とを備える。
【００１５】
本技術の一側面においては、送信周波数チャネルと前記送信周波数チャネルに紐付けられた受信周波数チャネルのキャリアセンスが行われ、前記送信周波数チャネルのキャリアセンスの結果と前記受信周波数チャネルのキャリアセンスの結果に基づいて、前記送信周波数チャネルと前記受信周波数チャネルの組み合わせが選択される。
【発明の効果】
【００１６】
本技術によれば、通信における受信成功率を高めることができる。
【００１７】
なお、本明細書に記載された効果は、あくまで例示であり、本技術の効果は、本明細書に記載された効果に限定されるものではなく、付加的な効果があってもよい。
【図面の簡単な説明】
【００１８】
【図１】本技術を適用した通信システムの構成例を示す図である。
【図２】端末の構成例を示すブロック図である。
【図３】基地局の構成例を示すブロック図である。
【図４】サーバのハードウェア構成例を示すブロック図である。
【図５】アップリンクフォーマットの例を示す図である。
【図６】ダウンリンクフォーマットの例を示す図である。
【図７】端末の通信処理を説明するフローチャートである。
【図８】基地局の通信処理を説明するフローチャートである。
【図９】周波数チャネルとキャリアセンスの結果の例を示す図である。
【図１０】送信周波数チャネルと受信周波数チャネルの対応関係の例を示す図である。
【図１１】図９のキャリアセンスの結果と図１０の対応関係とを合わせた結果を示す図である。
【図１２】図７のステップＳ１６における送受信周波数チャネル選択処理について説明するフローチャートである。
【図１３】周波数チャネルとキャリアセンス結果の他の例を示す図である。
【図１４】図７のステップＳ１６における送受信周波数チャネル選択処理の他の例について説明するフローチャートである。
【図１５】図１０の対応関係と図１３のキャリアセンスの結果とを合わせた結果を示す図である。
【図１６】誤り訂正方法の例を示す図である。
【図１７】受信周波数チャネルの受信電力量Xと誤り訂正符号化率との対応関係を示す図である。
【図１８】アップリンクフォーマットの他の例を示す図である。
【図１９】端末の他の構成例を示すブロック図である。
【図２０】端末の通信処理の他の例を説明するフローチャートである。
【図２１】基地局の通信処理の他の例を説明するフローチャートである。
【図２２】変調方法の例を示す図である。
【図２３】受信周波数チャネルの受信電力Xと変調方法との対応関係を示す図である。
【図２４】Preamble番号の例を示す図である。
【図２５】受信周波数チャネルの受信電力XとPreamble番号との対応関係を示す図である。
【発明を実施するための形態】
【００１９】
以下、本開示を実施するための形態（以下実施の形態とする）について説明する。説明は以下の順序で行う。
１．第１の実施の形態（送受信周波数チャネルの選択方法）
２．第２の実施の形態（受信電力の低減方法）
【００２０】
＜  １．第１の実施の形態  ＞
＜通信システムの構成例＞
図１は、本技術を適用した通信システムの構成例を示す図である。
【００２１】
通信システム１は、端末１１、基地局１２、およびサーバ１３により構成される。
【００２２】
通信システム１は、LPWA(Low Power Wide Area)技術を用いた通信システムである。通信システム１は、端末１１で得られた位置情報を基地局１２を介してサーバ１３に送ることで、サーバ１３による位置情報の解析結果を、基地局１２を介して端末１１のユーザに提供する。または、通信システム１は、端末１１で得られたビニールハウスの温度情報を基地局１２を介してサーバ１３に送ることで、サーバ１３による温度情報の解析結果を、基地局１２を介して端末１１のユーザに提供する。
【００２３】
端末１１と基地局１２間は、無線により接続されている。基地局１２とサーバ１３間は、インターネットなどのネットワーク１４により接続されている。なお、基地局１２とサーバ１３間の通信は、無線でも有線でもよい。
【００２４】
端末１１は、携帯可能な通信端末であり、アンテナ１１Ａとセンサ部１１Ｂを有している。センサ部１１Ｂは、位置情報センサ、温度センサ、圧力センサなどからなる。センサ部１１Ｂは、位置情報、温度情報、圧力情報などの物理情報をデータとして取得する。端末１１は、センサ部１１Ｂより取得したデータであるセンサ情報を、アンテナ１１Ａから基地局１２に送信する。
【００２５】
基地局１２は、アンテナ１２Ａを有している。基地局１２は、端末１１からのセンサ情報をアンテナ１２Ａで受信し、受信したセンサ情報を、ネットワーク１４を介してサーバ１３に送信する。
【００２６】
サーバ１３は、端末１１から収集したセンサ情報の解析を行い、センサ情報の解析結果を、基地局１２を介して端末１１に送信することで、端末１１のユーザに提供する。
【００２７】
なお、図１の通信システム１において、以下、端末１１から基地局１２への方向の通信を、アップリンクと称し、アップリンクで用いられる通信方式を、アップリンクフォーマットと称する。また、基地局１２から端末１１への方向の通信を、ダウンリンクと称し、ダウンリンクで用いられる通信方式を、ダウンリンクフォーマットと称する。
【００２８】
また、図１では、簡略化のため、端末１１、基地局１２を各１台として記載しているが、端末１１および基地局１２は、それぞれ、複数台で構成されていてもよい。センサ部１１Ｂは、位置情報センサ、温度センサ、圧力センサに限らず、物理情報を得られるセンサであれば、特に限定されない。
【００２９】
ユーザが端末１１とは異なる他の端末を有している場合、ユーザが有している他の端末に、サーバ１３によるセンサ情報の解析結果が送られるようにしてもよい。または、センサ情報の解析結果は、サーバ１３に蓄積しておき、ユーザが有している他の端末によりサーバ１３にアクセスされて取得されるようにしてもよい。
【００３０】
＜端末１１、基地局１２、サーバ１３の構成＞
図２は、端末１１の構成例を示すブロック図である。
【００３１】
図２に示すように、端末１１は、アンテナ１１Ａ、センサ部１１Ｂ、送信パケット処理部５１、無線送信部５２、無線制御部５３、無線受信部５４、周波数決定部５５、キャリアセンス処理部５６、受信パケット処理部５７を含むように構成される。
【００３２】
送信パケット処理部５１は、センサ部１１Ｂより取得したセンサ情報を格納して、アップリンクフォーマットの送信パケットを作成する。以下、アップリンクフォーマットの送信パケットを、アップリンクパケットと称する。
【００３３】
無線送信部５２は、無線制御部５３により指定された周波数チャネルに基づいて、送信パケット処理部５１で作成したアップリンクパケットをキャリア周波数に変換し、アンテナ１１Ａから送信する。
【００３４】
無線制御部５３は、周波数決定部５５から供給される情報に基づいて、無線送信部５２および無線受信部５４に周波数チャネルを指定する。このとき、アップリンクパケットの通信タイミングも指定されるため、無線送信部５２および無線受信部５４は、指定された通信タイミングに基づいてパケットの通信を行う。無線制御部５３は、無線受信部５４に対して、後段の処理が、受信パケット処理であるか、キャリアセンス処理であるのかを指定する。
【００３５】
無線受信部５４は、無線制御部５３により指定された周波数チャネルに基づいて、アンテナ１１Ａから得られた信号を受信し、ベースバンド信号に変換する処理を行う。
【００３６】
周波数決定部５５は、キャリアセンスの実行のため、無線制御部５３を制御し、無線受信部５４に、周波数チャネルを選択させて、周波数チャネル毎の受信電力量（干渉電力量）を算出し、送信周波数チャネルと受信周波数チャネルの組み合わせを決定する。送信周波数チャネルと受信周波数チャネルの組み合わせの選択は、通信システム１において予め定義されている送信周波数チャネルと受信周波数チャネルの対応関係を参照して行われる。この対応関係は、周波数決定部５５の図示せぬメモリに保存されている。
【００３７】
キャリアセンス処理部５６は、無線受信部５４から得られた各周波数チャネルのベースバンド信号を処理し、受信電力量の計算を行う。キャリアセンス処理部５６は、受信電力量の計算結果を、周波数決定部５５に提供する。
【００３８】
受信パケット処理部５７は、無線受信部５４から得られたベースバンド信号を処理し、基地局１２から送信された情報を取得する。
【００３９】
図３は、基地局１２の構成例を示すブロック図である。
【００４０】
基地局１２は、アンテナ１２Ａ、無線受信部７１−１乃至無線受信部７１−ｎ、受信パケット処理部７２−１乃至受信パケット処理部７２−ｎ、サーバ通信部７３、送信周波数参照部７４、無線制御部７５、キャリアセンス処理部７６、送信パケット処理部７７、および無線送信部７８を含むように構成される。
【００４１】
無線受信部７１−１乃至無線受信部７１−ｎは、周波数チャネル毎に構成される。無線受信部７１−１乃至無線受信部７１−ｎは、無線制御部７５により指定された周波数チャネルとタイミングに基づいて、アンテナ１２Ａから得られた信号をベースバンド信号に変換する処理を行う。
【００４２】
受信パケット処理部７２−１乃至受信パケット処理部７２−ｎも、周波数チャネル毎に構成される。受信パケット処理部７２−１乃至受信パケット処理部７２−ｎは、無線受信部７１−１乃至７１−ｎで得られたベースバンド信号を処理し、端末１１から送信されてきたセンサ情報を取得する。
【００４３】
サーバ通信部７３は、受信パケット処理部７２−１乃至受信パケット処理部７２−ｎで得られたセンサ情報を渡すため、サーバ１３と通信を行う。サーバ通信部７３は、サーバ１３からセンサ情報の解析結果を受け取り、送信パケット処理部７７に供給する。
【００４４】
送信周波数参照部７４は、受信パケット処理部７２−１乃至受信パケット処理部７２−ｎが処理した周波数チャネルに基づいて、送信に使用する周波数チャネルを選択する。送信に使用する周波数チャネルの選択は、通信システム１において予め定義されている送信周波数チャネルと受信周波数チャネルの対応関係を参照して行われる。この対応関係は、送信周波数参照部７４の図示せぬメモリに保存されている。
【００４５】
無線制御部７５は、送信周波数参照部７４により選択された周波数チャネルのキャリアセンスを、キャリアセンス処理部７６に実行させる。送信周波数参照部７４により選択された周波数チャネルは、端末１１においてキャリアセンスが行われた結果、通信可能と判定されているチャネルであり、キャリアセンス処理部７６のキャリアセンスは、念のために行われるものである。
【００４６】
キャリアセンス処理部７６のキャリアセンスの結果、送信可能と判定された場合に、無線制御部７５は、無線送信部７８に周波数チャネルを指定し、送信を実行させる。このとき、通信タイミングも指定されるため、無線受信部７１−１乃至無線受信部７１−ｎおよび無線送信部７８は、指定された通信タイミングに基づいてパケットの通信を行う。
【００４７】
キャリアセンス処理部７６は、無線受信部７１−１乃至無線受信部７１−ｎから得られたベースバンド信号を処理し、受信電力量の計算を行う。キャリアセンス処理部７６は、受信電力量の計算結果を無線制御部７５に提供する。
【００４８】
送信パケット処理部７７は、サーバ１３からのセンサ情報の解析結果を格納して、ダウンリンクフォーマットの送信パケットを作成する。以下、ダウンリンクフォーマットの送信パケットを、ダウンリンクパケットと称する。
【００４９】
無線送信部７８は、無線制御部７５により指定された周波数チャネルに基づいて、送信パケット処理部７７で作成したダウンリンクパケットをキャリア周波数に変換し、アンテナ１２Ａから送信する。
【００５０】
図４は、サーバ１３のハードウェア構成例を示すブロック図である。
【００５１】
CPU(Central Processing Unit)１０１、ROM(Read Only Memory)１０２、RAM(Random Access Memory) １０３は、バス１０４により相互に接続される。
【００５２】
CPU１０１、ROM１０２、RAM１０３は、バス１０４により相互に接続される。バス１０４には、さらに、入出力インタフェース１０５が接続される。
【００５３】
入出力インタフェース１０５には、キーボード、マウスなどよりなる入力部１０６、ディスプレイ、スピーカなどよりなる出力部１０７が接続される。また、入出力インタフェース１０５には、記憶部１０８、通信部１０９、およびドライブ１１０が接続される。
【００５４】
記憶部１０８は、ハードディスクや不揮発性のメモリなどにより構成される。
【００５５】
通信部１０９は、ネットワークインタフェースにより構成され、ネットワーク１４を介して基地局１２との間で通信を行う。
【００５６】
ドライブ１１０は、リムーバブルメディア１１１を駆動し、リムーバブルメディア１１１に記憶されたデータの読み出し、または、リムーバブルメディア１１１に対するデータの書き込みを行う。
【００５７】
＜アップリンクフォーマット＞
図５は、アップリンクフォーマットの例を示す図である。
【００５８】
端末１１が送信する情報は、ID、センサ情報、およびCRCで構成される。IDは、端末１１の識別情報である。センサ情報は、センサ部１１Ｂで取得されたデータである。CRCは、受信側である基地局１２でIDおよびセンサ情報が正しいことを確認するために付加される情報である。一般的なCyclic Redundancy Checkなどが用いられる。
【００５９】
ID、センサ情報、およびCRCに対して、誤り訂正符号化が行われ、誤り訂正符号が生成される。誤り訂正符号として、畳み込み符号やLDPC(Low Density Parity Check)符号などが用いられる。誤り訂正符号化が行われることで、耐雑音性が高められる。
【００６０】
アップリンクパケットは、PreambleとPHY Payloadで構成される。Preambleは、基地局１２でパケット検出を行うため、予め決められたパターンで構成される。基地局１２は、予め決められたパターンと相関を計算することで、パケット検出を行うことができる。PHY Payloadには、誤り訂正符号化後の誤り訂正符号が格納される。
【００６１】
＜ダウンリンクフォーマット＞
図６は、ダウンリンクフォーマットの例を示す図である。
【００６２】
基地局１２が送信する情報は、ID、端末宛て情報、およびCRCで構成される。IDは、宛先の端末１１の識別情報である。端末宛て情報は、端末１１に対して送信する情報である。CRCは、受信側である端末１１でIDおよび端末宛て情報が正しいことを確認するために付加される情報である。
【００６３】
ID、センサ情報、およびCRCに対して誤り訂正符号化が行われ、誤り訂正符号が生成される。
【００６４】
ダウンリンクパケットは、PreambleとPHY Payloadで構成される。Preambleは、端末１１でパケット検出を行うため、予め決められたパターンで構成される。端末１１は、予め決められたパターンと相関を計算することで、パケット検出を行うことができる。PHY Payloadには、誤り訂正符号化後の誤り訂正符号が格納される。
【００６５】
＜端末の動作＞
次に、図７のフローチャートを参照して、端末１１の通信処理を説明する。
【００６６】
ステップＳ１１において、センサ部１１Ｂは、センサ情報を取得する。センサ情報の取得は、予め決められた周期に基づいて周期的に行われるようにしてもよいし、センサ情報に変化があった場合のみに行われるようにしてもよい。
【００６７】
ステップＳ１２において、周波数決定部５５は、選択していない周波数チャネルがあるか否かを判定する。ステップＳ１２において、選択していない周波数チャネルがあると判定された場合、処理は、ステップＳ１３に進む。
【００６８】
ステップＳ１３において、周波数決定部５５は、選択していない周波数チャネルを１つ選択する。ステップＳ１４において、キャリアセンス処理部５６は、ステップＳ１３で選択された周波数チャネルのキャリアセンスを行う。キャリアセンスの実行結果として、受信電力値が得られる。
【００６９】
ステップＳ１５において、キャリアセンス処理部５６は、キャリアセンスの実行結果を、選択された周波数チャネルを示す情報と紐付けて保存する。
【００７０】
ステップＳ１２において、選択していない周波数チャネルがないと判定された場合、処理は、ステップＳ１６に進む。すなわち、ステップＳ１４においては、周波数チャネル数と同じ回数のキャリアセンスが行われる。
【００７１】
ステップＳ１６において、周波数決定部５５は、送受信周波数チャネルの選択処理を行う。この送受信周波数チャネル選択処理の詳細については、図１２を参照して後述される。ステップＳ１６により、好適な送信周波数チャネルと受信周波数チャネルの組み合わせが選択される。以下、適宜、送信周波数チャネルと受信周波数チャネルの組み合わせを、送受信周波数チャネルの組み合わせとも総称する。
【００７２】
無線制御部５３は、周波数決定部５５で決定された送受信周波数チャネルの組み合わせに基づいて、無線送信部５２および無線受信部５４に周波数チャネルを指定する。
【００７３】
ステップＳ１７において、送信パケット処理部５１は、ステップＳ１１で取得されたセンサ情報を格納して、アップリンクパケットを作成する。
【００７４】
ステップＳ１８において、無線送信部５２は、無線制御部５３により指定された周波数チャネルに基づいて、ステップＳ１７で作成されたアップリンクパケットをキャリア周波数に変換し、アンテナ１１Ａから送信する。
【００７５】
基地局１２により送信された信号が受信されて、ベースバンド信号に変換され、センサ情報が取り出され、センサ情報がサーバ１３に送信される。これに対応して、サーバ１３から、センサ情報の解析結果が送られてくるので、基地局１２により、センサ情報の解析結果を格納したダウンリンクパケットが作成される。そして、作成されたダウンリンクパケットが、端末１１からの信号が送られてきたときの周波数チャネルに紐付いている周波数チャネルに変換されて、端末１１に送信されてくる。
【００７６】
ステップＳ１９において、無線受信部５４は、無線制御部５３により指定された周波数チャネルに基づいて、アンテナ１１Ａから信号を受信し、ベースバンド信号に変換する処理を行う。
【００７７】
以上のように、端末１１では、送信周波数チャネルと受信周波数チャネルの組み合わせが選択され、送信周波数チャネルが用いられて基地局１２に対する送信が行われ、受信周波数チャネルが用いられて基地局１２からの受信が行われる。
【００７８】
次に、図８のフローチャートを参照して、図７の端末１１の通信処理に対応して行われる基地局１２の通信処理を説明する。
【００７９】
図７のステップＳ１８で、周波数決定部５５により決定された送信周波数チャネルで、端末１１から信号が送られてくる。いま、信号が送られてきた送信周波数チャネルに、無線受信部７１−２と受信パケット処理部７２−２が対応しているとして、以下、説明していく。
【００８０】
図８のステップＳ２１において、無線受信部７１−２は、アンテナ１２Ａから、信号を受け取る。ステップＳ２２において、受信パケット処理部７２−２は、無線受信部７１−２からの信号をベースバンド信号に変換し、センサ情報を取得する。
【００８１】
ステップＳ２３において、サーバ通信部７３は、受信パケット処理部７２−２により取得されたセンサ情報を、サーバ１３に送信する。
【００８２】
サーバ１３では、通信部１０９により、ネットワーク１４を介して、基地局１２からのセンサ情報が受け取られる。CPU１０１により、基地局１２を介して端末１１から収集したセンサ情報の解析が行われ、センサ情報の解析結果が生成される。通信部１０９により、センサ情報の解析結果が、ネットワーク１４を介して、基地局１２に送信されてくる。
【００８３】
図８のステップＳ２４において、サーバ通信部７３は、サーバ１３からのセンサ情報の解析結果を受け取り、送信パケット処理部７７に供給する。
【００８４】
ステップＳ２５において、送信パケット処理部７７は、センサ情報の解析結果を格納して、ダウンリンクパケットを作成する。
【００８５】
ステップＳ２６において、送信周波数参照部７４は、受信パケット処理部７２−２が処理した周波数チャネルについて、通信システム１において予め定義された対応関係（後述する図１０）を参照し、送信に使用する周波数チャネルを決定する。
【００８６】
ステップＳ２７において、無線制御部７５は、送信周波数参照部７４により決定された周波数チャネルのキャリアセンスを行い、その結果、送信可能と判定した場合に、無線送信部７８に周波数チャネルを指定する。
【００８７】
送信周波数参照部７４により選択された周波数チャネルは、端末１１においてキャリアセンスが行われた結果通信可能と判定されているチャネルであり、基地局１２でのキャリアセンスは、念のために行われるものである。
【００８８】
ステップＳ２８において、無線送信部７８は、無線制御部７５により指定された周波数チャネルに基づいて、送信パケット処理部７７で作成したダウンリンクパケットをキャリア周波数に変換し、アンテナ１２Ａから送信する。
【００８９】
＜送受信周波数チャネルの選択方法１＞
次に、端末１１の送受信周波数チャネルの選択方法について詳細を説明する。
【００９０】
図９は、周波数チャネルとキャリアセンスの結果の例を示す図である。
【００９１】
図９では、周波数チャネル１乃至周波数チャネル６に対して実行されたキャリアセンスの結果である受信電力量が示されている。周波数チャネル１乃至６のキャリアセンスの結果は、それぞれ、-60dBm、-130dBm、-120dBm、-60dBm、-110dBm、-100dBmである。
【００９２】
周波数決定部５５は、図９のキャリアセンスの結果に基づいて、送信周波数チャネルと受信周波数チャネルを決定する。ここで、通信システム１における送信周波数チャネルと受信周波数チャネルの対応関係が、図１０に示されるように定義されているものとする。
【００９３】
図１０は、送信周波数チャネルと受信周波数チャネルの対応関係の例を示す図である。
【００９４】
図１０の対応関係では、送信周波数チャネル１と受信周波数チャネル２が紐付けられており、送信周波数チャネル３と受信周波数チャネル４が紐付けられており、送信周波数チャネル５と受信周波数チャネル６が紐付けられている。
【００９５】
送信周波数チャネル１と受信周波数チャネル２の組み合わせは、端末１１からの送信が、送信周波数チャネル１で行われる場合、基地局１２からの受信は、受信周波数チャネル２で行われることを示している。送信周波数チャネル３と受信周波数チャネル４の組み合わせは、端末１１からの送信が、送信周波数チャネル３で行われる場合、基地局１２からの受信は、受信周波数チャネル４で行われることを示している。
【００９６】
送信周波数チャネル５と受信周波数チャネル６の組み合わせは、端末１１からの送信が、送信周波数チャネル５で行われる場合、基地局１２からの受信は、受信周波数チャネル６で行われることを示している。
【００９７】
図１１は、図９のキャリアセンスの結果（受信電力量）と図１０の対応関係とを合わせた結果を示す図である。
【００９８】
送信周波数チャネル１のキャリアセンスの結果は、-60dBmであり、送信周波数チャネル１に紐付けられた受信周波数チャネル２のキャリアセンスの結果は、-130 dBmである。
【００９９】
送信周波数チャネル３のキャリアセンスの結果は、-120dBmであり、送信周波数チャネル１に紐付けられた受信周波数チャネル４のキャリアセンスの結果は、-60 dBmである。
【０１００】
送信周波数チャネル５のキャリアセンスの結果は、-110dBmであり、送信周波数チャネル１に紐付けられた受信周波数チャネル６のキャリアセンスの結果は、-100 dBmである。
【０１０１】
キャリアセンスの結果の受信電力量が大きいことは、その周波数チャネルが他システムにある程度使用されている可能性があることを示す。
【０１０２】
このため次の２つの観点で周波数チャネルの選択が行われる。
(1)他のシステムとの共用の観点から、一定レベル以上の受信電力量が観察された周波数チャネルは、送信禁止である。
(2)受信するためには干渉の影響が少ない周波数チャネルを選択すべきである。
【０１０３】
(1)は、電波法や業界団体の指針として決められている。例えば、日本の920MHz帯では、-80dBmが閾値であり、この値を超える場合は送信を行わないと決められている。この観点から、図１１に示される結果をみると、送信周波数チャネル３か送信周波数チャネル５が選択可能である。送信の観点でのみ選択するとすれば、他システムがあまり使用していない可能性がある、つまり受信電力量の小さい、送信周波数チャネル３の周波数チャネルを選択するのが妥当である。
【０１０４】
しかしながら、通信システム１では、送信周波数チャネルと受信周波数チャネルが紐付けられているため、図１１に示される結果から送信周波数チャネル３を選択した場合、端末１１が受信に使用する周波数チャネルは、受信周波数チャネル４となる。受信周波数チャネル４は-60dBmと受信電力量が高く、干渉が強いことを示しており、このチャネルを使用すると受信に失敗する可能性が高い。一方で、送信周波数チャネル５を選択した場合は、受信に使用する周波数チャネルは、受信周波数チャネル６であり、干渉も弱いことが期待できるため、受信に成功する可能性が高い。
【０１０５】
したがって、送信周波数チャネルと受信周波数チャネルが紐付けられている通信システム１の場合、送信周波数チャネルのキャリアセンス結果と、紐付けられた受信周波数チャネルのキャリアセンスの結果に基づいて、送受信周波数チャネルの組み合わせが選択される。これにより、通信における受信成功率を高めることが可能である。
【０１０６】
次に、図１２のフローチャートを参照して、図７のステップＳ１６における送受信周波数チャネル選択処理について説明する。
【０１０７】
ステップＳ３１において、周波数決定部５５は、送信に使用可能な周波数チャネルを選択するため、電波法などで規定されている閾値を設定する。
【０１０８】
ステップＳ３２において、周波数決定部５５は、図９に示されたキャリアセンスの結果に基づいて、選択していない送信周波数チャネルがあるか否かを判定する。ステップＳ３２において、選択していない送信周波数チャネルがあると判定された場合、処理は、ステップＳ３３に進む。
【０１０９】
ステップＳ３３において、周波数決定部５５は、図９に示されたキャリアセンスの結果に基づいて、送信周波数チャネルを選択する。ステップＳ３４において、周波数決定部５５は、ステップＳ３１で設定された閾値と、ステップＳ３３で選択された送信周波数チャネルのキャリアセンス結果とを比較し、使用可能であるか否かの判定を行う。図９の例の場合、送信周波数チャネル３と、送信周波数チャネル５が使用可能であると判定される。その後、処理は、ステップＳ３２に戻り、それ以降の処理が繰り返される。
【０１１０】
ステップＳ３２において、選択していない送信周波数チャネルがないと判定された場合、処理は、ステップＳ３５に進む。
【０１１１】
ステップＳ３５において、周波数決定部５５は、送信周波数チャネル選択結果で送信可能と判定された送信周波数チャネルに紐付けられた受信周波数チャネルのうち、選択していない受信周波数チャネルがあるか否かを判定する。
【０１１２】
ステップＳ３５において、選択していない受信周波数チャネルがあると判定された場合、処理は、ステップＳ３６に進む。ステップＳ３６において、周波数決定部５５は、送信可能と判定された送信周波数チャネルに紐づいた受信周波数チャネルを選択する。
【０１１３】
ステップＳ３７において、周波数決定部５５は、ステップＳ３６で選択した受信周波数チャネルの中で、最小の受信電力量の受信周波数チャネルを選択する。図９の例では、受信周波数チャネル６が選択される。その後、処理は、ステップＳ３５に戻り、それ以降の処理が繰り返される。
【０１１４】
ステップＳ３５において、選択していない受信周波数チャネルがないと判定された場合、送受信周波数チャネル選択処理は終了される。
【０１１５】
以上の送受信周波数チャネル選択処理により、送信周波数チャネル５、受信周波数チャネル６が選択される。これにより、送信が可能で、受信時に干渉（電力量）が最小となる送受信の周波数チャネルを選択することができる。
【０１１６】
＜送受信周波数チャネルの選択方法２＞
次に、送受信周波数チャネル選択の他の方法を説明する。
【０１１７】
図１３は、キャリアセンスの結果の他の例を示す図である。図１３は、受信周波数チャネル４の結果である-100dBmだけが、図９の例と異なっている。
【０１１８】
図１３の例の場合、図１０で説明したように、周波数チャネル１のキャリアセンスの結果が-60dBmであるため、送信周波数チャネルとして利用可能であるのは、周波数チャネル３と周波数チャネル５である。しかしながら、送信周波数チャネル３に紐付けられた受信周波数チャネル４のキャリアセンスの結果と、周波数チャネル５に紐付けられた受信周波数チャネル６のキャリアセンスの結果が同じである。したがって、図１２の送受信周波数チャネルの選択処理では、最適な送受信周波数チャネルの組み合わせを決めることができない。
【０１１９】
そこで、紐付けられた受信周波数チャネルのキャリアセンスの結果が同じ場合、図１４のフローチャートの送受信周波数チャネルの選択処理が行われる。なお、図１４のステップＳ５１乃至Ｓ５６、およびステップＳ５８は、図１２のステップＳ３１乃至Ｓ３７と基本的に同様の処理であるので、その説明は繰り返しになるため、省略される。
【０１２０】
図１４のステップＳ５６において、送信可能と判定された送信周波数チャネルに紐付けられた受信周波数チャネルが選択される。
【０１２１】
ステップＳ５７において、周波数決定部５５は、送信周波数チャネルと受信周波数チャネルの平均受信電力量を算出する。以下、送信周波数チャネルと受信周波数チャネルの平均受信電力量を、送受信平均電力量と称する。
【０１２２】
周波数決定部５５は、送受信周波数チャネルの組み合わせに応じて、次の式（１）を計算する。
【数１】
2019087905.tif 000003
【０１２３】
式（１）において、TXFは、選択した送信周波数チャネルの受信電力量[dBm]、RXFは、選択した受信周波数チャネルの受信電力量[dBm]である。周波数決定部５５は、これらの平均電力量が最小となる送受信周波数チャネルの組み合わせを選択する。
【０１２４】
図１５は、図１０の対応関係と図１３のキャリアセンスの結果（受信電力量）とを合わせ、送受信平均電力量を求めた結果を示す図である。
【０１２５】
送信周波数チャネル１のキャリアセンスの結果は、-60dBmであり、送信周波数チャネル１に紐付けられた受信周波数チャネル２のキャリアセンスの結果は、-130 dBmである。送信周波数チャネル１と受信周波数チャネル２の組み合わせの場合、送信周波数チャネル１の受信電力量が閾値を超えるので、送受信平均電力量は算出されない。
【０１２６】
送信周波数チャネル３のキャリアセンスの結果は、-120dBmであり、送信周波数チャネル１に紐付けられた受信周波数チャネル４のキャリアセンスの結果は、-110dBmである。送信周波数チャネル３と受信周波数チャネ４の組み合わせの場合、送受信平均電力量-103.0dBmが算出される。
【０１２７】
送信周波数チャネル５のキャリアセンスの結果は、-110dBmであり、送信周波数チャネル１に紐付けられた受信周波数チャネル６のキャリアセンスの結果は、-100 dBmである。周波数チャネル５と受信周波数チャネル６の組み合わせの場合、送受信平均電力量-102.6dBmが算出される。
【０１２８】
図１５の例の場合、送受信平均電力量が最小となる送受信周波数チャンネルの組み合わせは、送信周波数チャネル３と受信周波数チャネル４である。
【０１２９】
したがって、図１４のステップＳ５８において、周波数決定部５５は、送受信平均電力量が最小となる送信周波数チャネル３と受信周波数チャネル４の組み合わせを選択する。
【０１３０】
これにより、送信が可能で、送信と受信時に干渉が平均的に最小となる送受信周波数チャネルの組み合わせを選択することができる。
【０１３１】
＜  ２．第２の実施の形態  ＞
＜受信電力量を低減する方法＞
次に、第１の実施の形態に基づいて決定した受信周波数チャネルでの受信成功率を高めながら、端末１１の受信電力量を低減する方法について説明する。
【０１３２】
端末１１は、送信前に、受信周波数チャネルの干渉量を予測することが可能である。図５で示したダウンリンクフォーマットでは、耐雑音性を高めるために誤り訂正符号化を実施している。耐雑音性を高くするには、冗長な情報を付加することによって実現されるが、その反面、送信する情報量が増加することでパケットの送信時間が長くなる。したがって、端末１１の受信時間が長くなるため、受信処理で電力量を消費してしまう。
【０１３３】
そこで、端末１１が送信前に受信周波数チャネルの干渉量を予測した結果に基づき、ダウンリンクフォーマットの誤り訂正方法を選択することで、受信電力量の抑制が可能となる。
【０１３４】
＜誤り訂正方法の選択＞
図１６は、誤り訂正方法の選択例を示す図である。
【０１３５】
誤り訂正能力を定義する指標の１つに符号化率がある。符号化率Rは、1/2,1/3,1/4などと表記し、入力が1/R倍になって出力される。入力に対して増加した分が冗長情報となり、多いほど耐雑音性が高くなる。
【０１３６】
図１６では、誤り訂正方法１は、符号化率R=1/2であり、誤り訂正方法２は、符号化率R=1/3であり、誤り訂正方法３は、符号化率R=1/4であることが示されている。すなわち、図１６でR=1/4は、耐雑音性が最も高いことを示している。
【０１３７】
端末１１は、第１の実施の形態で選択された受信周波数チャネルの受信電力量に応じて、図１６の誤り訂正方法として、誤り訂正符号化率を選択する。例えば、受信電力が大きい場合は、干渉が強いと判定できるので、耐雑音性が高い誤り訂正方法が選択される。
【０１３８】
図１７は、受信周波数チャネルの受信電力量Xと誤り訂正方法との対応関係を示す図である。
【０１３９】
受信周波数チャネルの受信電力量Xが-80dBmより大きい場合、誤り訂正方法３が選択される。受信周波数チャネルの受信電力量Xが-100dBmより大きく、-80dBmより小さい場合、誤り訂正方法２が選択される。受信周波数チャネルの受信電力量Xが-100dBmより小さい場合、誤り訂正方法１が選択される。
【０１４０】
図１７に示されるように選択されたダウンリンクフォーマットの誤り訂正方法を示す情報は、アップリンクパケットに格納されて、端末１１から基地局１２に送信される。
【０１４１】
図１８は、アップリンクフォーマットの他の例を示す図である。
【０１４２】
IDの手前に、DL Infoが設けられる。DL Infoには、端末１１で選択されたダウンリンクフォーマットである誤り訂正方法を示す情報が記載される。
【０１４３】
なお、DL Info以外については、図５のアップリンクフォーマットと同様であり、繰り返しになるため、その説明は省略される。
【０１４４】
基地局１２では、受信したアップリンクパケットに含まれるDL Infoに基づいてダウンリンクフォーマットの誤り訂正方法が変更される。
【０１４５】
＜端末の構成例＞
図１９は、端末１１の他の構成例を示すブロック図である。
【０１４６】
図１９の端末１１は、通信方式選択部１５１が追加された点のみが、図３の端末１１と異なっている。
【０１４７】
周波数決定部５５は、送受信周波数チャネルの組み合わせの決定後、選択した受信周波数チャネルの受信電力量を、通信方式選択部１５１に出力する。
【０１４８】
通信方式選択部１５１は、受信周波数チャネルの受信電力量に応じて、ダウンリンクフォーマットの誤り訂正方法を選択し、送信パケット処理部５１に供給する。
【０１４９】
送信パケット処理部５１は、センサ情報に、通信方式選択部１５１により選択された誤り訂正方法を示す情報を付加して、アップリンクパケットを作成し、無線送信部５２に供給する。
【０１５０】
＜端末の動作＞
図２０は、端末１１の通信処理の他の例を説明するフローチャートである。なお、図２０のステップＳ１１１乃至Ｓ１１６、Ｓ１１９、およびＳ１２０は、図７のステップＳ１１乃至Ｓ１９と基本的に同様の処理であり、その説明は繰り返しになるため、省略される。
【０１５１】
ステップＳ１１６により好適な送信周波数チャネルと受信周波数チャネルの組み合わせが選択される。周波数決定部５５は、送受信周波数チャネルの組み合わせの決定後、選択した受信周波数チャネルの受信電力量を、通信方式選択部１５１に供給する。
【０１５２】
ステップＳ１１７において、通信方式選択部１５１は、受信周波数チャネルの受信電力量に応じて、ダウンリンクフォーマットの誤り訂正方法を選択し、送信パケット処理部５１に供給する。
【０１５３】
ステップＳ１１８において、送信パケット処理部５１は、センサ部１１Ｂからのセンサ情報に、通信方式選択部１５１により選択された誤り訂正方法を示す情報を付加して、アップリンクパケットを作成し、無線送信部５２に供給する。
【０１５４】
＜基地局の動作＞
図２１は、図２０の端末１１の通信処理に対応して行われる基地局１２の通信処理の例を説明するフローチャートである。なお、図２１のステップＳ１４１乃至Ｓ１４４、およびＳ１４６乃至Ｓ１４８は、図８のステップＳ２１乃至Ｓ２４、およびＳ２６乃至Ｓ２８と基本的に同様の処理であり、その説明は繰り返しになるので省略する。
【０１５５】
図２１のステップＳ１４５において、送信パケット処理部７７は、端末１１から送信されてきたアップリンクパケットのDL Info部分に記載の誤り訂正方法を示す情報に基づき、センサ情報の解析情報を格納して、ダウンリンクパケットを作成する。
【０１５６】
以上のように、端末１１で予測した干渉量に基づきダウンリンクフォーマットの誤り訂正符号化率を選択するようにしたので、端末１１の受信に要する消費電力を抑制することができる。
【０１５７】
＜変形例１：変調方式の選択＞
受信電力量を低減する他の方法として、端末１１が送信前に受信周波数チャネルの干渉量を予測した結果に基づき、ダウンリンクフォーマットの変調方式を選択する例について説明する。
【０１５８】
一般的な変調方式として、BPSK、QPSK、16QAMなどがある。それぞれ１シンボルあたりに1bit、2bit、4bitの情報をマッピングすることができる。このため、同一の情報を送る場合、多値変調である16QAMのほうがパケット長を短くすることができる。しかしながら、受信特性は、BPSKのほうがよい。したがって、端末１１が予測した受信周波数チャネルの干渉量に応じて、変調方式を変更することで、端末１１の受信に要する消費電力量を抑制することができる。
【０１５９】
図２２は、変調方法が３つの場合の例を示す図である。図２２では、変調方法１は、変調方式がBPSKであることを示す。変調方法２は、変調方式がQPSKであることを示す。変調方法３は、変調方式が16QAMであることを示す。
【０１６０】
端末１１は、第１の実施の形態で選択された受信周波数チャネルの受信電力量に応じて、図２２の変調方法を選択する。例えば、受信電力量が大きい場合は、干渉が強いと判定できるので、耐雑音性が高い変調方法が選択される。
【０１６１】
図２３は、受信周波数チャネルの受信電力量Xと変調方法との対応関係を示す図である。
【０１６２】
受信周波数チャネルの受信電力量Xが-80dBmより大きい場合、変調方法３が選択される。受信周波数チャネルの受信電力量Xが-100dBmより大きく、-80dBmより小さい場合、変調方法２が選択される。受信周波数チャネルの受信電力量Xが-100dBmより小さい場合、変調方法１が選択される。
【０１６３】
図２３に示されるように選択されたダウンリンクフォーマットの変調方法を示す情報は、図１８を参照して上述した誤り訂正方法と同様に、アップリンクパケットに格納されて、図２０のフローチャートを参照して上述したようにして、端末１１から基地局１２に送信される。その結果、図２１のフローチャートを参照して上述したようにして、基地局１２において、アップリンクパケットに格納された変調方法が参照されて、ダウンリンクパケットが作成され、端末１１に送信される。
【０１６４】
以上のように、端末１１で予測した干渉量に基づきダウンリンクフォーマットの変調方法を選択するようにしたので、端末１１の受信に要する消費電力量を抑制することができる。
【０１６５】
＜変形例２：Preamble長の選択＞
受信電力量を低減するさらに他の方法として、端末１１が送信前に受信周波数チャネルの干渉量を予測した結果に基づき、ダウンリンクフォーマットのPreamble長を選択する例について説明する。
【０１６６】
図５を参照して上述したように、ダウンリンクフォーマットには、Preambleが含まれる。このPreambleは、端末１１が受信する際にパケットを検出するために用いられる。パケットの検出は予め決められたパターンと受信信号の相関を算出し、相関値が一定値以上であることをもとに判定される。雑音に対する検出性能はPreamble長に依存する。Preamble長が長ければ、耐雑音性は向上するが、端末１１の受信に要する消費電力量が増加する。したがって、端末１１が予測した受信周波数チャネルの干渉量に応じて、Preamble長を選択することで、端末１１の受信に要する消費電力量を抑制することが可能である。
【０１６７】
図２４は、Preamble長が３つの場合の例を示す図である。図２４では、Preamble番号１は、Preamble長が100symbolであることを示す。Preamble番号２は、Preamble長が200symbolであることを示す。Preamble番号３は、Preamble長が300symbolであることを示す。
【０１６８】
端末１１は、第１の実施の形態で選択された受信周波数チャネルの受信電力量に応じて、図２４のPreamble番号を選択する。例えば、受信電力が大きい場合は、干渉が強いと判定できるので、耐雑音性が高いPreamble番号が選択される。
【０１６９】
図２５は、受信周波数チャネルの受信電力量XとPreamble番号との対応関係を示す図である。
【０１７０】
受信周波数チャネルの受信電力量Xが-80dBmより大きい場合、Preamble番号３が選択される。受信周波数チャネルの受信電力量Xが-100dBmより大きく、-80dBmより小さい場合、Preamble番号２が選択される。受信周波数チャネルの受信電力量Xが-100dBmより小さい場合、Preamble番号１が選択される。
【０１７１】
図２５に示されるように選択されたダウンリンクフォーマットのPreamble番号を示す情報は、図１８を参照して上述した誤り訂正方法と同様に、アップリンクパケットに格納されて、図２０のフローチャートを参照して上述したようにして、端末１１から基地局１２に送信される。その結果、図２１のフローチャートを参照して上述したようにして、基地局１２において、アップリンクパケットに格納されたPreamble番号が参照されて、ダウンリンクパケットが作成され、端末１１に送信される。
【０１７２】
以上のように、端末１１で予測した干渉量に基づきダウンリンクフォーマットのPreamble番号を選択するようにしたので、端末１１の受信に要する消費電力を抑制することができる。
【０１７３】
以上のように、本技術においては、送信周波数チャネルおよび受信周波数チャネルのキャリアセンスを行い、送信周波数チャネルおよび受信周波数チャネルの両方のキャリアセンスの結果に基づいて、送信周波数チャネルおよび受信周波数チャネルの組み合わせを選択するようにした。これにより通信における受信成功率を高めることができる。
【０１７４】
本技術によれば、通信における送信成功率も高めることができる。
【０１７５】
さらに、本技術においては、受信周波数チャネルの干渉量に基づき、相手から送信されてくる通信方式を選択するようにしたので、受信に要する消費電力量を抑制することができる。
【０１７６】
なお、上記説明においては、端末を例として、上記説明を行ってきたが、本技術は端末に限定されない。本技術は、サーバや基地局に適用することもできる。
【０１７７】
上述した一連の処理は、ハードウェアにより実行することもできるし、ソフトウェアにより実行することもできる。図４に示された構成と同じ構成を、端末１１および基地局１２も有している場合、図２および図３に示す機能部のうちの少なくとも一部は、例えば、図４のCPU１０１により所定のプログラムが実行されることによって実現される。
【０１７８】
一連の処理をソフトウェアにより実行する場合には、そのソフトウェアを構成するプログラムが、専用のハードウェアに組み込まれているコンピュータ、または、汎用のパーソナルコンピュータなどにインストールされる。
【０１７９】
インストールされるプログラムは、光ディスク（CD-ROM(Compact Disc-Read Only Memory)，DVD(Digital Versatile Disc)等）や半導体メモリなどよりなる、例えば、図４に示されるリムーバブルメディア１１１に記録して提供される。また、ローカルエリアネットワーク、インターネット、デジタル放送といった、有線または無線の伝送媒体を介して提供されるようにしてもよい。プログラムは、ROM１０２や記憶部１０８に、あらかじめインストールしておくことができる。
【０１８０】
なお、コンピュータが実行するプログラムは、本明細書で説明する順序に沿って時系列に処理が行われるプログラムであっても良いし、並列に、あるいは呼び出しが行われたとき等の必要なタイミングで処理が行われるプログラムであっても良い。
【０１８１】
なお、本明細書において、システムとは、複数の構成要素（装置、モジュール（部品）等）の集合を意味し、すべての構成要素が同一筐体中にあるか否かは問わない。従って、別個の筐体に収納され、ネットワークを介して接続されている複数の装置、および、１つの筐体の中に複数のモジュールが収納されている１つの装置は、いずれも、システムである。
【０１８２】
なお、本明細書に記載された効果はあくまで例示であって限定されるものでは無く、また他の効果があってもよい。
【０１８３】
本技術の実施の形態は、上述した実施の形態に限定されるものではなく、本技術の要旨を逸脱しない範囲において種々の変更が可能である。
【０１８４】
例えば、本技術は、１つの機能を、ネットワークを介して複数の装置で分担、共同して処理するクラウドコンピューティングの構成をとることができる。
【０１８５】
また、上述のフローチャートで説明した各ステップは、１つの装置で実行する他、複数の装置で分担して実行することができる。
【０１８６】
さらに、１つのステップに複数の処理が含まれる場合には、その１つのステップに含まれる複数の処理は、１つの装置で実行する他、複数の装置で分担して実行することができる。
【０１８７】
以上、添付図面を参照しながら本開示の好適な実施形態について詳細に説明したが、本開示はかかる例に限定されない。本開示の属する技術の分野における通常の知識を有する者であれば、特許請求の範囲に記載された技術的思想の範疇内において、各種の変更例または修正例に想到し得ることは明らかであり、これらについても、当然に本開示の技術的範囲に属するものと了解される。
【０１８８】
なお、本技術は以下のような構成も取ることができる。
（１）
送信周波数チャネルと前記送信周波数チャネルに紐付けられた受信周波数チャネルのキャリアセンスを行うキャリアセンス処理部と、
前記送信周波数チャネルのキャリアセンスの結果と前記受信周波数チャネルのキャリアセンスの結果に基づいて、前記送信周波数チャネルと前記受信周波数チャネルの組み合わせを選択する周波数チャネル選択部と
を備える通信装置。
（２）
前記周波数チャネル選択部は、前記送信周波数チャネルが送信に使用できる周波数チャネルであって、前記受信周波数チャネルの受信電力量が最小となる、前記送信周波数チャネルと前記受信周波数チャネルの組み合わせを選択する
前記（１）に記載の通信装置。
（３）
前記周波数チャネル選択部は、前記送信周波数チャネルが送信に使用できる周波数チャネルであって、前記送信周波数チャネルと前記受信周波数チャネルとの平均受信電力量が最小となる、前記送信周波数チャネルと前記受信周波数チャネルの組み合わせを選択する
前記（１）に記載の通信装置。
（４）
前記周波数チャネル選択部により選択された前記受信周波数チャネルの干渉量に基づいて、相手側からの送信に用いられる通信方式を選択する通信方式選択部を
さらに備える前記（１）乃至（３）のいずれかに記載の通信装置。
（５）
前記通信方式選択部は、誤り訂正の符号化率を選択する
前記（４）に記載の通信装置。
（６）
前記通信方式選択部は、変調方式を選択する
前記（４）に記載の通信装置。
（７）
前記通信方式選択部は、Preamble長を選択する
前記（４）に記載の通信装置。
（８）
前記通信装置は、携帯可能な通信端末である
前記（１）乃至（７）のいずれかに記載の通信装置。
（９）
情報を検出するセンサと、
前記センサにより検出された情報を、前記周波数チャネル選択部により選択された前記送信周波数チャネルで送信する送信部と
をさらに備える前記（８）に記載の通信装置。
（１０）
前記通信装置は、基地局である
前記（１）乃至（７）のいずれかに記載の通信装置。
（１１）
通信装置が、
送信周波数チャネルと前記送信周波数チャネルに紐付けられた受信周波数チャネルのキャリアセンスを行い、
前記送信周波数チャネルのキャリアセンスの結果と前記受信周波数チャネルのキャリアセンスの結果に基づいて、前記送信周波数チャネルと前記受信周波数チャネルの組み合わせを選択する
通信方法。
（１２）
送信周波数チャネルと前記送信周波数チャネルに紐付けられた受信周波数チャネルのキャリアセンスを行うキャリアセンス処理部と、
前記送信周波数チャネルのキャリアセンスの結果と、前記受信周波数チャネルのキャリアセンスの結果に基づいて、前記送信周波数チャネルと前記受信周波数チャネルの組み合わせを選択する周波数チャネル選択部と
として、コンピュータを機能させるプログラム。
（１３）
基地局と、通信端末とからなる通信システムであって、
前記通信端末は、送信周波数チャネルと前記送信周波数チャネルに紐付けられた受信周波数チャネルのキャリアセンスを行うキャリアセンス処理部と、
前記送信周波数チャネルのキャリアセンス結果と前記受信周波数チャネルのキャリアセンス結果に基づいて、前記送信周波数チャネルと前記受信周波数チャネルの組み合わせを選択する周波数チャネル選択部と
を含む通信システム。
【符号の説明】
【０１８９】
１  通信システム，  １１  端末，  １１Ａ  アンテナ，  １１Ｂ  センサ部，  １２  基地局，  １２Ａ  アンテナ，  １３  サーバ，  １４  ネットワーク，  ５１  送信パケット処理部，  ５２  無線送信部，  ５３  無線制御部，  ５４  無線受信部，  ５５  周波数決定部，  ５６  キャリアセンス処理部，  ５７  受信パケット処理部，  ７１−１乃至７１−ｎ  無線受信部，  ７２−１乃至７２−ｎ  受信パケット処理部，  ７３  サーバ通信部，  ７４  送信周波数参照部，  ７５  無線制御部，  ７６  キャリアセンス処理部，  ７７  送信パケット処理部，  ７８  無線送信部，  １５１  通信方式選択部
【図１】
2019087905.tif 000004
【図２】
2019087905.tif 000005
【図３】
2019087905.tif 000006
【図４】
2019087905.tif 000007
【図５】
2019087905.tif 000008
【図６】
2019087905.tif 000009
【図７】
2019087905.tif 000010
【図８】
2019087905.tif 000011
【図９】
2019087905.tif 000012
【図１０】
2019087905.tif 000013
【図１１】
2019087905.tif 000014
【図１２】
2019087905.tif 000015
【図１３】
2019087905.tif 000016
【図１４】
2019087905.tif 000017
【図１５】
2019087905.tif 000018
【図１６】
2019087905.tif 000019
【図１７】
2019087905.tif 000020
【図１８】
2019087905.tif 000021
【図１９】
2019087905.tif 000022
【図２０】
2019087905.tif 000023
【図２１】
2019087905.tif 000024
【図２２】
2019087905.tif 000025
【図２３】
2019087905.tif 000026
【図２４】
2019087905.tif 000027
【図２５】
2019087905.tif 000028